【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
表示装置において、
表示パネルと、映像表示に用いられる映像信号を処理するための信号基板と、該信号基板と前記表示パネルに電源を供給するための電源基板とを備え、
前記信号基板と電源基板が前記表示パネルの横方向に配列されており、
前記電源基板の回路素子が搭載される面に、該回路素子よりも高く、かつ前記回路素子の搭載面と対向する部材と結合されない突起部が設けられることを特徴とする表示装置。
【請求項２】
請求項１記載の表示装置において、前記信号基板と電源基板が、それぞれ、前記表示装置の下方から流入される空気により個別に冷却されることを特徴とする表示装置。
【請求項３】
請求項１記載の表示装置において、前記突起部によって、前記表示装置の背面が押されたときに、前記電源基板の回路素子が前記回路素子の搭載面と対向する部材と接触することを防止するようにしたことを特徴とする表示装置。
【請求項４】
請求項１記載の表示装置において、前記回路素子の搭載面と対向する部材は、前記表示パネルの背面シャーシであることを特徴とする表示装置。
【請求項５】
表示パネルと、映像表示に用いられる映像信号を処理するための信号基板と、該信号基板と前記表示パネルに電源を供給するための電源基板と、前記表示装置の背面を覆う背面カバーとを備え、
前記信号基板と電源基板が前記表示パネルの横方向に配列されており、
前記表示装置の背面カバーが押されたときに前記電源基板の回路素子が前記回路素子の搭載面と対向する部材と接触することを防止するための突起部を、前記電源基板の回路素子が搭載される面に設けたことを特徴とする表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００９
【補正方法】変更
【補正の内容】
【０００９】
上述した目的を達成するため、本発明によれば、まず、表示装置において、表示パネルと、映像表示に用いられる映像信号を処理するための信号基板と、該信号基板と前記表示パネルに電源を供給するための電源基板とを備え、前記信号基板と電源基板が前記表示パネルの横方向に配列されており、前記電源基板の回路素子が搭載される面に、該回路素子よりも高く、かつ前記回路素子の搭載面と対向する部材と結合されない突起部が設けられることを特徴とする表示装置が提供される。
【手続補正４】
【補正対象書類名】明細書
【補正対象項目名】００１０
【補正方法】変更
【補正の内容】
【００１０】
なお、本発明では、前記に記載された表示装置において、前記信号基板と電源基板が、それぞれ、前記表示装置の下方から流入される空気により個別に冷却されることが好ましく、また、前記突起部によって、前記表示装置の背面が押されたときに、前記電源基板の回路素子が前記回路素子の搭載面と対向する部材と接触することを防止するようにしたことが好ましい。更には、前記回路素子の搭載面と対向する部材は、前記表示パネルの背面シャーシであってもよい。
【手続補正５】
【補正対象書類名】明細書
【補正対象項目名】００１１
【補正方法】変更
【補正の内容】
【００１１】
更に、本発明によれば、表示パネルと、映像表示に用いられる映像信号を処理するための信号基板と、該信号基板と前記表示パネルに電源を供給するための電源基板と、前記表示装置の背面を覆う背面カバーとを備え、前記信号基板と電源基板が前記表示パネルの横方向に配列されており、前記表示装置の背面カバーが押されたときに前記電源基板の回路素子が前記回路素子の搭載面と対向する部材と接触することを防止するための突起部を、前記電源基板の回路素子が搭載される面に設けたことを特徴とする表示装置が提供される。
【手続補正６】
【補正対象書類名】明細書
【補正対象項目名】００１７
【補正方法】変更
【補正の内容】
【００１７】
しかしながら、本発明では、上記パネルモジュール１００の機械的強度を確保するための補強構造としては、上述した構造、即ち、上記フレーム１１０の外周の鍔部１１１に絞り加工した断面「コ」の字状の補強部１１２に限定することなく、その他、上記フレーム１１０の外周においてその機械的を確保することが出来るもの（フレームに対して枠状の補強構造）であればよく、例えば、添付の図４にも示すように、フレーム１１０の外周寸法（縦及び横）に対応した複数の長さの金属パイプ４００、予め、用意しておき、当該複数の金属パイプ４００を、例えば、ネジ４１０等により鍔部１１１に固定すると共に、各角部における金属パイプ４００の間を、図示のような外形「Ｌ」字状の部材４２０により固定することも可能である。なお、かかる補強構造は、パネルモジュール１００の機械的強度を確保するための補強構造としては、上記の構造よりも優れており、比較的大型の装置、例えば、５０インチ以上サイズの画像表示装置における補強構造として有利であろう。
【手続補正７】
【補正対象書類名】明細書
【補正対象項目名】００１８
【補正方法】変更
【補正の内容】
【００１８】
続いて、再び、上記の図２に戻り、上記パネルモジュール１００の補強構造である、フレーム１１０の外周鍔部１１１に絞り加工により形成された補強部１１２を利用して、その背面側に、当該装置の入力信号である映像信号を入力として所定の信号処理を行うための信号基板５００と、更には、当該信号基板を含め、上記パネルモジュール１００の各部に供給され、画像表示や駆動に必要となる各種の電圧電源を供給するための電源基板５１０を含めた各種の回路基板を取り付けるための構造について説明する。
【手続補正８】
【補正対象書類名】明細書
【補正対象項目名】００２０
【補正方法】変更
【補正の内容】
【００２０】
上述した支持部材６００によれば、その上下の位置（２ヶ所）に形成された固定部６１０、６１０が、パネルモジュール１００の機械的強度を確保するための補強構造である補強部１１２（即ち、枠状の補強部が形成された鍔部１１１）に固定され、フレーム１１０の裏面には直接取り付けられていない、即ち、パネルモジュール１００には固定されていないことから、当該パネルモジュール１００に負荷を掛けない構造となっている。なお、上記では、両端の２本の支持部材６００、６００が下方に伸びて、装置の脚部（スタンド）１２０を形成している例を示しており、かかる場合においても、特に、当該脚部（スタンド）１２０からの負荷が、直接、当該パネルモジュール１００に掛かることを回避することが出来ることから有利である。しかしながら、本発明はこれに限定されることなく、上記両端の２本の支持部材６００、６００を、中央部の支持部材６００と同様の構造とすることも可能である。なお、かかる場合には、例えば、上記脚部（スタンド）１２０を、上記パネルモジュール１００の下辺に形成した補強部１１２を利用して、例えば、その下辺中央部に取り付けることが好ましいであろう。
【手続補正９】
【補正対象書類名】明細書
【補正対象項目名】００２１
【補正方法】変更
【補正の内容】
【００２１】
そして、上述した信号基板５００、更には、電源基板５１０等は、これら複数本の支持部材６００、６００…を利用することにより、当該パネルモジュール１００の背面側に残された狭小なスペース内において、効率よく、取り付けることが可能になる。即ち、図示のように、信号基板５００及び電源基板５１０には、それぞれ、その基板の一部（本例では角部）に形成された保持部５０１、５１１を利用して、例えば、上記と同様に、ネジ６１１等によって支持部材６００、６００…に取り付けられる。なお、ここで、図に破線で示すように、当該装置を外部と接続するための端子を複数備えた、所謂、端子基板を、上述した信号基板５００とは別体に設ける（例えば、上記信号基板５００の下部）ことによれば、製品の仕向け地の変更などによっても、容易に変更することが可能であることから、好ましいであろう。
【手続補正１０】
【補正対象書類名】明細書
【補正対象項目名】００２５
【補正方法】変更
【補正の内容】
【００２５】
加えて、パネルモジュール１００の背面側に設けられた支持部材６００、６００の変形例、特に、上述したパネルモジュールのフレーム１１０を接地するために好適な構造について、添付の図６を参照しながら説明を加える。なお、これは、画像表示装置の大型化によるパネルモジュールの面積の増大に伴い、なお良好な性能を維持するためには、パネルモジュールのフレーム１１０の接地位置を、複数箇所で確保することが好ましいとの見地による。